(57)【特許請求の範囲】
【請求項１】
熱伝達流体を収容した蒸気圧縮回路を使用して流体または物品を冷却する方法であって、
上記流体または物品は−４０℃から−１０℃の温度に冷却されるか、−１５℃から１５℃の温度に冷却され、
上記熱伝達流体が下記から成る三成分組成物であることを特徴とする方法：
（１）５％〜５０％のジフルオロメタン、
（２）２％〜２０％のペンタフルオロエタン、
（３）３０％〜９０％のテトラフルオロプロペン。
【請求項２】
冷却した流体または物品の温度が−４０℃から−１０℃であり、熱伝達流体が下記のいずれかである請求項１に記載の方法：
（１）１５％〜３５％のジフルオロメタンと、５％〜２０％のペンタフルオロエタンと、４５％〜８０％の２，３，３，３−テトラフルオロプロペン、または、
（２）１５％〜５０％のジフルオロメタンと、５％〜２０％のペンタフルオロエタンと、３０％〜８０％の１，３，３，３−テトラフルオロプロペン。
【請求項３】
冷却した流体または物品の温度が−１５℃から１５℃であり、熱伝達流体が下記のいずれかである請求項１に記載の方法：
（１）１５％〜３５％のジフルオロメタンと、５％〜２０％のペンタフルオロエタンと、４５％〜８０％の２，３，３，３−テトラフルオロプロペン、または、
（２）５％〜３０％のジフルオロメタンと、５％〜２０％のペンタフルオロエタンと、５０％〜９０％の１，３，３，３−テトラフルオロプロペン、または、
（３）２０％〜４０％のジフルオロメタンと、５％〜２０％のペンタフルオロエタンと、４０％〜７５％の１，３，３，３−テトラフルオロプロペン。
【請求項４】
初期の熱伝達流体を収容した蒸気圧縮回路を含む伝熱設備の環境へのインパクトを減らす方法であって、蒸気圧縮回路中の初期の熱伝達流体を初期の熱伝達流体より低いＧＷＰを有する最終の熱伝達流体と置換する階段を有し、最終の熱伝達流体が下記から成る三成分組成物であることを特徴とする方法：
（１）５％〜５０％のジフルオロメタン、
（２）２％〜２０％のペンタフルオロエタン、
（３）３０％〜９０％のテトラフルオロプロペン。
【請求項５】
初期の熱伝達流体が５２％の１，１，１−トリフルオロエタンと、４４％のペンタフルオロエタンと、４％の１，１，１，２−テトラフルオロエタンとの三成分混合物であるか、５２％の１，１，１，２−テトラ−フルオロエタンと、２５％のペンタフルオロエタンと、２３％のジフルオロメタンとから成る三成分混合物であり、最終の熱伝達流体が下記のいずれかである請求項４に記載の方法：
（１）１５％〜３５％のジフルオロメタンと、５％〜２０％のペンタフルオロエタンと、４５％〜８０％の２，３，３，３−テトラフルオロプロペン、または、
（２）１５％〜５０％のジフルオロメタンと、５％〜２０％のペンタフルオロエタンと、３０％〜８０％の１，３，３，３−テトラフルオロプロペン、または、
（３）２０％〜４０％のジフルオロメタンと、５％〜２０％のペンタフルオロエタンと、４０％〜７５％の１，３，３，３−テトラフルオロプロペン。
【請求項６】
初期の熱伝達流体が１，１，１，２−テトラ−フルオロエタンであり、最終の熱伝達流体が下記から成る請求項４に記載の方法：
（１）５％〜３０％のジフルオロメタンと、５％〜２０％のペンタフルオロエタンと、５０％〜９０％の１，３，３，３−テトラフルオロプロペン。
【発明の詳細な説明】
【技術分野】
【０００１】
本発明は、性能品質が高く、ＧＷＰが低い、通常の冷却剤を代替するのに適したジフルオロメタンと、ペンタフルオロエタンと、テトラフルオロプロペンとをベースにした三元熱伝導流体に関するものである。
【背景技術】
【０００２】
フルオロカーボン化合物をベースにした流体は蒸気−圧縮熱伝達システム、特に、空調、ヒートポンプ、冷蔵装置および冷凍装置で広く使われている。これらの装置に共通することは、低圧での流体の蒸発（ここで流体は熱を吸収する）と、蒸発した流体の高圧力への圧縮と、蒸発した流体の高圧での液体への凝縮（ここで流体は熱を開放する）と、流体の膨張し（サイクルの完了）から成る熱力学サイクルをベースにしていることである。
【０００３】
熱伝達流体の選択（純粋化合物か、化合物の混合物かの選択）は流体の熱力学的特性で行われ、さらに追加の拘束条件によっておこなわれる。従って、その一つの重要な判定基準は流体が環境に対して与える影響である。特に、塩素化物（クロロフルオロカーボンおよびヒドロクロロフルオロカーボン）はオゾン層を破壊するという欠点がある。従って、これからは一般に非塩素化物、例えばハイドロフルオロカーボン、フルオロエーテルおよびフルオロオレフィンを用いるのが好ましい。
【０００４】
現在使われている熱伝達流体はＨＦＣ−１３４ａ、Ｒ４０４ａ（５２％のＨＦＣ−１４３ａと、４４％のＨＦＣ−１２５と、４％のＨＦＣ−１３４ａとの三元混合物）およびＲ４０７ｃ（５２％のＨＦＣ−１３４ａと、２５％のＨＦＣ−１２５と、２３％のＨＦＣ−３２との三元混合物）である。
【０００５】
しかし、これらの流体より地球温暖化ポテンシャル（ＧＷＰ）が小さく、しかも、性能レベルが同じか、改良された他の熱伝達流体を開発する必要がある。
【０００６】
特許文献１（米国特許公開第ＵＳ２００９／０２５０６５０号明細書）には種々のフルオロ−オレフィンベースの組成物と、それを使用した熱伝達流体とが記載されている。この文献には特に、ＨＦＣ−３２と、ＨＦＣ−１２５と、ＨＦＯ−１２３４ｚｅとから成る混合物、更にはＨＦＣ−３２と、ＨＦＣ−１２５と、ＨＦＯ−１２３４ｙｆとから成る混合物が記載されている。好ましいとされた組成物は下記である：
（１）２３％のＨＦＣ−３２、２５％のＨＦＣ−１２５および５２％のＨＦＯ−１２３４ｚｅ、
（２）３０％のＨＦＣ−３２、５０％のＨＦＣ−１２５および２０％のＨＦＯ−１２３４ｚｅ、
（３）４０％のＨＦＣ−３２、５０％のＨＦＣ−１２５および１０％のＨＦＯ−１２３４ｙｆ、
（４）２３％のＨＦＣ−３２、２５％のＨＦＣ−１２５および５２％のＨＦ０−１２３４ｙｆ、
（５）１５％のＨＦＣ−３２、４５％のＨＦＣ−１２５および４０％のＨＦＯ−１２３４ｙｆ、
（６）１０％のＨＦＣ−３２、６０％のＨＦＣ−１２５および３０％のＨＦＯ−１２３４ｙｆ。
【０００７】
特許文献２（国際特許第ＷＯ２０１０／００２０１４号公報）にはＨＦＣ−３２と、ＨＦＣ−１２５と、ＨＦＯ−１２３４ｙｆとをベースにした不燃性冷却剤が記載されている。いくつかの組成物、特に１５％のＨＦＣ−３２と、２５％のＨＦＣ−１２５と、６０％のＨＦＯ−１２３４ｙｆとから成るものが記載されている。
【先行技術文献】
【特許文献】
【０００８】
【特許文献１】米国特許公開第ＵＳ２００９／０２５０６５０号明細書
【特許文献２】国際特許第ＷＯ２０１０／００２０１４号公報
【発明の概要】
【発明が解決しようとする課題】
【０００９】
しかし、比較的にＧＷＰがさらに低く、従来公知の熱伝達流体よりエネルギ運転性能品質がより良い、さらに別の熱伝達流体を開発するというニーズが依然としてある。
【課題を解決するための手段】
【００１０】
本発明は、第一に、下記から成る三成分組成物に関係するものである：
（１）５％〜５０％のジフルオロメタン、
（２）２％〜２０％のペンタフルオロエタン、
（３）３０％〜９０％のテトラフルオロプロペン。
【発明を実施するための形態】
【００１１】
本発明の一実施例では、テトラフルオロプロペンは１，３，３，３−テトラフルオロプロペンである。
本発明の他の実施例では、テトラフルオロプロペンは２，３，３，３−テトラフルオロプロペンである。
【００１２】
本発明の他の実施例の組成物は下記から成る：
（１）１５％〜３５％のジフルオロメタン、
（２）５％〜２０％のペンタフルオロエタン、
（３）４５％〜８０％の２，３，３，３−テトラフルオロプロペン、
好ましくは：
（１）１８％〜２５％のジフルオロメタン、
（２）８％〜２０％のペンタフルオロエタン、
（３）５５％〜７４％の２，３，３，３−テトラフルオロプロペン。
【００１３】
本発明の他の実施例の組成物は下記から成る：
（１）１５％〜５０％のジフルオロメタン、
（２）５％〜２０％のペンタフルオロエタン、
（３）３０％〜８０％の１，３，３，３−テトラフルオロプロペ、
好ましくは：
（１）３０％〜４０％のジフルオロメタン、
（２）８％〜２０％のペンタフルオロエタン、
（３）４０％〜６２％の１，３，３，３−テトラフルオロプロペン。
【００１４】
本発明の他の実施例の組成物は下記から成る：
（１）５％〜３０％のジフルオロメタン、
（２）５％〜２０％のペンタフルオロエタン、
（３）５０％〜９０％の１，３，３，３−テトラフルオロプロペン、
好ましくは：
（１）５％〜２０％のジフルオロメタン、
（２）５％〜２０％のペンタフルオロエタン、
（３）６０％〜９０％の１，３，３，３−テトラフルオロプロペン。
【００１５】
本発明の他の実施例の組成物は下記から成る：
（１）２０％〜４０％のジフルオロメタン、
（２）５％〜２０％のペンタフルオロエタン、
（３）４０％〜７５％の１，３，３，３−テトラフルオロプロペン、
好ましくは：
（１）２５％〜４０％のジフルオロメタン、
（２）５％〜２０％のペンタフルオロエタン、
（３）４０％〜７０％の１，３，３，３−テトラフルオロプロペン。
【００１６】
本発明はさらに、上記の三成分組成物の蒸気圧縮回路の熱伝達流体としての使用にも関するものである。
【００１７】
本発明はさらに、熱伝達流体としての上記三成分組成物と、滑剤、安定剤、界面活性剤、トレーサ、螢光剤、香料、可溶化剤およびこれらの混合物の中から選択される一種または複数の添加剤とを含む伝熱組成物にも関するものである。
【００１８】
本発明はさらに、熱伝達流体としての上記三成分組成物または上記伝熱組成物を収容した蒸気圧縮回路を有する伝熱設備にも関するものである。
【００１９】
本発明の一実施例では、上記伝熱設備は移動式または据付け式のヒートポンプ加熱、空調、冷蔵および冷凍設備の中から選択される。
【００２０】
本発明はさらに、熱伝達流体を収容した蒸気圧縮回路を用いて流体または物体を加熱または冷却するためのプロセスにも関するものであり、このプロセスは熱伝達流体の蒸発、熱伝達流体の圧縮、熱伝達流体の凝縮および熱伝達流体の膨張を順次含み、熱伝達流体は本発明三成分組成物である。
【００２１】
流体または物体を冷却するための本発明の上記プロセスの一実施例では、冷却される流体または物体の温度は−４０℃から−１０℃であり、好ましくは−３５℃〜−２５℃、特に好ましくは−３０℃〜−２０℃であり、熱伝達流体は下記のいずれかから成る：
（１）１５％〜３５％のジフルオロメタンと、５％〜２０％のペンタフルオロエタンへと、４５％〜８０％の２，３，３，３−テトラフルオロプロペン、好ましくは１８％〜２５％のジフルオロメタンと、８％〜２０％までペンタフルオロエタンと、５５％〜７４％の２，３，３，３−テトラフルオロプロペン、または、
（２）１５％〜５０％のジフルオロメタンと、５％〜２０％のペンタフルオロエタンと、３０％〜８０％の１，３，３，３−テトラフルオロプロペン、好ましくは３０％〜４０％のジフルオロメタンと、８％〜２０％のペンタフルオロエタンと、４０％〜６２％の１，３，３，３−テトラフルオロプロペン。
【００２２】
加熱または冷却プロセスの他の実施例では、冷却される流体または物体の温度は−１５℃から１５℃、好ましくは−１０℃〜１０℃、特に好ましくは−５℃〜５℃であり、熱伝達流体は下記のいずれかから成る：
（１）１５％〜３５％のジフルオロメタンと、５％〜２０％のペンタフルオロエタンと、４５％〜８０％の２，３，３，３−テトラフルオロプロペン、好ましくは１８％〜２５％のジフルオロメタンと、８％〜２０％のペンタフルオロエタンと、５５％〜７４％の２，３，３，３−テトラフルオロプロペン、または、
（２）５％〜３０％のジフルオロメタンと、５％〜２０％のペンタフルオロエタンと、５０％〜９０％の１，３，３，３−テトラフルオロプロペン、好ましくは５％〜２０％のジフルオロメタンと、５％〜２０％のペンタフルオロエタンと、６０％〜９０％の１，３，３，３−テトラフルオロプロペン、または、
（３）２０％〜４０％のジフルオロメタンと、５％〜２０％のペンタフルオロエタンと、４０％〜７５％の１，３，３，３−テトラフルオロプロペン、好ましくは２５％〜４０％のジフルオロメタンと、５％〜２０％のペンタフルオロエタンと、４０％〜７０％の１，３，３，３−テトラフルオロプロペン。
【００２３】
流体または物体を加熱するためのプロセスの他の実施例では、加熱される流体または物体の温度は３０℃から８０℃、好ましくは３５℃〜５５℃、特に好ましくは４０℃〜５０℃で、熱伝達流体は下記のいずれかから成る：
（１）１５％〜３５％のジフルオロメタンと、５％〜２０％のペンタフルオロエタンと、４５％〜８０％の２，３，３，３−テトラフルオロプロペン、好ましくは１８％〜２５％のジフルオロメタンと、８％〜２０％のペンタフルオロエタンと、５５％〜７４％の２，３，３，３−テトラフルオロプロペン、または、
（２）５％〜３０％のジフルオロメタンと、５％〜２０％のペンタフルオロエタンと、５０％〜９０％の１，３，３，３−テトラフルオロプロペン、好ましくは５％〜２０％のジフルオロメタンと、５％〜２０％のペンタフルオロエタンと、６０％〜９０％の１，３，３，３−テトラフルオロプロペン、または、
（３）２０％〜４０％のジフルオロメタンと、５％〜２０％のペンタフルオロエタンと、４０％〜７５％の１，３，３，３−テトラフルオロプロペン、好ましくは２５％〜４０％のジフルオロメタンと、５％〜２０％のペンタフルオロエタンと、４０％〜７０％の１，３，３，３−テトラフルオロプロペン。
【００２４】
本発明はさらに、初期熱伝達流体を収容した蒸気圧縮回路を有する熱伝達機器の環境への影響（インパクト）を減らすためのプロセスにも関し、本発明プロセスでは蒸気圧縮回路中の初期熱伝達流体を初期熱伝達流体以下のＧＷＰを有する最終熱伝達流体に代え、この最終熱伝達流体は本発明の三成分組成物である。
【００２５】
環境への影響（インパクト）を減らすための本発明の上記プロセスの一実施例では、初期熱伝達流体は５２％の１，１，１−トリフルオロエタンと、４４％のペンタフルオロエタンと、４％の１，１，１，２−テトラフルオロエタンとの三成分の混合物であるか、５２％の１，１，１，２−テトラフルオロエタンと、２５％のペンタフルオロエタンと、２３％のジフルオロメタンとの三成分混合物であり、最終熱伝達流体は下記のいずれかから成る：
【００２６】
（１）１５％〜３５％のジフルオロメタンと、５％〜２０％のペンタフルオロエタンと、４５％〜８０％の２，３，３，３−テトラフルオロプロペン、好ましくは１８％〜２５％のジフルオロメタンと、８％〜２０％のペンタフルオロエタンと、５５％〜７４％の２，３，３，３−テトラフルオロプロペン、または、
（２）１５％から５０％のジフルオロメタンと、５％〜２０％のペンタフルオロエタンと、３０％〜８０％の１，３，３，３−テトラフルオロプロペン、好ましくは３０％〜４０％のジフルオロメタンと、８％〜２０％のペンタフルオロエタンと、４０％〜６２％の１，３，３，３−テトラフルオロプロペン、または、
（３）２０％〜４０％のジフルオロメタンと、５％〜２０％のペンタフルオロエタンと、４０％〜７５％の１，３，３，３−テトラフルオロプロペン、好ましくは２５％〜４０％のジフルオロメタンと、５％〜２０％のペンタフルオロエタンと、４０％〜７０％の１，３，３，３−テトラフルオロプロペン。
【００２７】
環境へのインパクトを減らすための上記プロセスの他の実施例では、初期熱伝達流体が１，１，１，２−テトラフルオロエタンであり、最終熱伝達流体は下記のいずれかから成る：
（１）５％〜３０％のジフルオロメタンと、５％〜２０％のペンタフルオロエタンと、５０％〜９０％の１，３，３，３−テトラフルオロプロペン、好ましくは５％〜２０％のジフルオロメタンと、５％〜２０％のペンタフルオロエタンと、６０％〜９０％の１，３，３，３−テトラフルオロプロペン。
【００２８】
本発明は従来技術の欠点を克服することができる。本発明は特に、ＧＷＰが比較的低く、良好なエネルギ性能レベルを有する。これはＨＦＣ−３２と、ＨＦＣ−１２５と、テトラフルオロプロペンとを上記比率で含む三元混合物によって達成できる。
【００２９】
本発明の好ましい特定実施例では、本発明は下記の利点の一つの利点、好ましくは複数の利点を有する。
（１）本発明の熱伝達流体は同じタイプの用途で基準冷却剤のＲ４０４ａ、Ｒ４０７ｃおよび／またはＨＦＣ−１３４よりも高い運転性能係数を有する。
（２）本発明の熱伝達流体のキャパシティは同じタイプの用途で基準冷却剤と同じか、以上である。それによって本発明を用いることによって、上記基準冷却剤の一つを含む既存システムよりＧＷＰを減らすことができ、しかも、基準冷却剤を本発明の熱伝達流体に置換することによってシステムの運転性能品質を大幅に改善することができる。
（３）本発明の熱伝達流体は、特許文献３および特許文献４に記載のＨＦＣ−３２と、ＨＦＣ−１２５と、ＨＦＯ−１２３４ｚｅまたはＨＦＯ−１２３４ｙｆとの三成分混合物より大きな運転性能係数を有する。
【特許文献３】米国特許公開第ＵＳ２００９／０２５０６５０号明細書
【特許文献４】国際特許第ＷＯ２０１０／００２０１４号公報
【００３０】
（４）本発明の熱伝達流体を用いると、従来の熱伝達流体で得られるより低いコンプレッサ吐出し温度を得ることができる。
【００３１】
本発明で地球温暖化ポテンシャル（ＧＷＰ）は非特許文献に記載の方法に従って二酸化炭素に関して１００年の期間に対して定義される。
【非特許文献３】“The scientific assessment of ozone depletion, 2002、a report of the World Meteorological Association’s Global Ozone Research and Monitoring Project”
【００３２】
以下、本発明をさらに詳細に説明するが、本発明が下記実施例に制限されるものではない。
【００３３】
「熱伝達化合物（heat-transfer compound）」「熱伝達流体」（または冷媒流体）という用語は蒸気圧縮回中で低温、低圧で蒸発することで熱を吸収し、高温、高圧で凝縮することによって熱を開放することができる化合物を意味する。一般に、熱伝達流体は単一または２種、３種以上の熱伝達化合物から成ることができる。
【００３４】
「熱伝達組成物」という用語は熱伝達流体と、所定用途に適した任意成分の一種以上の熱伝達化合物以外の添加剤とから成る組成物を意味する。
【００３５】
本発明の伝熱プロセスは熱伝達流体を収容した蒸気圧縮回路を含む機器を使用することが基本である。この熱伝達プロセスは流体または物体を加熱または冷却するためのプロセスにすることができる。
【００３６】
熱伝達流体を使用した蒸気圧縮回路は少なくとも一つの蒸発器と、圧縮機（コンプレッサ）と、凝縮器と、膨張弁とを有し、これら要素間で熱伝達流体を輸送する手段とを有する。蒸発器および凝縮器は熱伝達流体と他の流体または物体との間で熱を交換することができる熱交換器を有する。
【００３７】
コンプレッサとしては一段または複数段の遠心圧縮機またはミニコンプレッサ（mini-compressor）を使用することができる。ロータリーコンプレッサ、往復圧縮機またはスクリュー圧縮機を使うこともできる。コンプレッサは電動機またはガスタービン（例えば自動車用途では車両の排気）または伝動装置で駆動できる。
【００３８】
この機器は電気を発生させるタービンから成ることもできる（ランキンサイクル）。
【００３９】
この機器はオプションとして熱伝達流体回路と加熱される流体または物体との間で熱を伝える（状態変更有りまたは無し）のに使う少なくとも一つの冷却剤回路を有することもできる。
【００４０】
この機器はさらに、オプションとして互いに同じまたは異なる熱伝達流体を収容した２つ以上の蒸気圧縮回路、例えば、互いに連結された蒸気圧縮回路を有することもできる。
【００４１】
蒸気圧縮回路は通常の蒸気圧縮サイクルに従って運転される。このサイクルは比較的に低い圧力で液相（または液体／蒸気２相状態）から気相まで熱伝達流体の状態を変化させ、次いで、比較的に高い圧力で熱伝達流体を気相から液相へ状態変化（凝縮）させ、圧力を下げてサイクルを再び始める。
【００４２】
冷却プロセスの場合には、冷却される流体または物体からの熱が（直接または冷却剤を介して間接的に）熱伝達流体によって、熱伝達流体が蒸発する間に環境と比べて相対的に低い温度で吸収される。この冷却プロセスには空調プロセス（移動機器、例えば車両または静止機器）、冷凍プロセスおよび冷凍プロセスまたは凍結（cryogenic）プロセスが含まれる。
【００４３】
加熱プロセスの場合、熱伝達流体の凝縮時に、環境と比較して相対的に高い温度で、熱伝達流体から加熱されている流体または物体へ熱が与えられる（直接または冷却剤を介して間接的に）。この場合に伝熱を実行できる機器は「ヒートポンプ」とよばれる。
【００４４】
本発明は、本発明の熱伝達流体を使用した任意タイプの熱交換器、特に並流熱交換器で使用することができる。
【００４５】
しかし、本発明の好ましい実施例では、本発明は向流（counter-current）熱交換器を含む冷却および加熱プロセスと、対応する機器とを提供する。この熱交換器は凝縮器または蒸発器で向流である。すなわち、本発明の熱伝達流体は向流熱交換器で特に有用である。蒸発器および凝縮器の両方が向流熱交換器から成るのが好ましい。
【００４６】
本発明では「向流熱交換器」という用語は熱が第１の流体と第２の流体との間で交換される熱交換器を意味し、第１の流体は熱交換器の入口で熱交換器の出口の第２の流体と熱交換し、第１の流体は熱交換器の出口で熱交換器の入口の第２の流体と熱交換する。
【００４７】
向流熱交換器は例えば第１の流体の流れと第２の流体の流れとが反対方向であるか、実質的に逆方向である装置から成る。向流傾向を有する交差流モードで運転される熱交換器は本出願の意味で向流熱交換器に含まれる。
【００４８】
本発明で使用する各種化合物の略称は下記を意味する：
ＨＦＣ−１３４ａ：  １，１，１，２−テトラフルオロエタン、
ＨＦＣ−１２５：    ペンタフルオロエタン、
ＨＦＣ−３２：      ジフルオロメタン、
ＨＦＯ−１２３４ｚｅ：  １，３，３，３−テトラフルオロプロペン、
ＨＦＯ−１２３４ｙｆ：  ２，３，３，３−テトラフルオロプロペン。
【００４９】
本発明で使用する熱伝達流体は下記の三元混合物である：
（１）  ＨＦＣ−３２、ＨＦＣ−１２５およびＨＦＯ−１２３４ｚｅ、
（２）  ＨＦＣ−３２、ＨＦＣ−１２５およびＨＦＯ−１２３４ｙｆ。
【００５０】
「三元混合物」という用語は基本的に３つの化合物から成る組成物を意味し、組成物の少なくとも９９％、好ましくは少なくとも９９．５％または少なくとも９９．９％が上記の３つの化合物から成る。
【００５１】
特に断らない限り、本明細書に記載の化合物の配合比率は重量百分率である。
【００５２】
ＨＦＯ−１２３４ｚｅはシス形でもトランス形でもよく、これらの２つの形の混合物でもよい。
【００５３】
上記組成物でＨＦＣ−３２は５％〜５０％の量に存在し、ＨＦＣ−１２５は２％〜２０％の量で存在し、ＨＦＯ−１２３４ｙｆまたはＨＦＯ−１２３４ｚｅは３０％〜９０％の量に存在する。
【００５４】
低温冷蔵プロセス、すなわち、冷却される流体または物体の温度が−４０℃から−１０℃、好ましくは−３５℃〜−２５℃、特に好ましくは−３０℃〜−２０℃（理想的には約−２５℃）で使用する場合には、Ｒ４０４ａの代替品としての最も有効な化合物は下記であることが分かっている：
（１）組成物１：１５％〜５０％のＨＦＣ−３２と、５％〜２０％のＨＦＣ−ｌ２５と、３０％〜８０％のＨＦＯ−１２３４ｚｅ、好ましくは３０％〜４０％のＨＦＣ−３２と、８％〜２０％のＨＦＣ−１２５と、４０％〜６２％のＨＦＯ−１２３４ｚｅ、
（２）組成物２：１５％〜３５％のＨＦＣ−３２と、５％〜２０％のＨＦＣ−ｌ２５と、４５％〜８０％のＦＯ−１２３４ｙｆ、好ましくは１８％〜２５％のＨＦＣ−３２と、８％〜２０％のＨＦＣ−１２５と、５５％〜７４％のＨＦＯ−１２３４ｙｆ。
【００５５】
中温度での冷却プロセス、すなわち冷却される流体または物体の温度が−１５℃から１５℃、好ましくは−１０℃〜１０℃、特に好ましくは−５℃〜５℃（理想的には約２０℃）で使用する場合、および、中温度での加熱プロセス、すなわち加熱される流体または物体の温度が３０℃から８０℃、好ましくは３５℃〜５５℃、特に好ましくは４０℃〜５０℃（理想的には約４５℃）で使用する場合に、ＨＦＣ−１３４ａの代替品としての最も有効な組成物は下記であることが分かっている：
（１）組成物１：５％〜３０％のＨＦＣ−３２と、５％〜２０％のＨＦＣ−１２５と、５０％〜９０％のＨＦＯ−１２３４ｚｅ、好ましくは５％〜２０％のＨＦＣ−３２と、５％〜２０％のＨＦＣ−１２５と、６０％〜９０％のＨＦＯ−１２３４ｚｅ。
【００５６】
中温度での冷却プロセス、すなわち冷却される流体または物体の温度が−１５℃から１５℃、好ましくは−１０℃〜１０℃、特に好ましくは−５℃〜５℃（理想的には約０℃）で使用する場合、および、中温度での加熱プロセス、すなわち加熱される流体または物体の温度が３０℃から８０℃、好ましくは３５℃〜５５℃、特に好ましくは４０℃〜５０℃（理想的には約４５℃）で使用する場合には、Ｒ４０４ａまたはＲ４０７ｃの代替品としての最も有効な組成物は下記であることが分かっている：
（１）組成物１：２０％〜４０％のＨＦＣ−３２と、５％〜２０％のＨＦＣ−１２５と、４０％〜７５％のＨＦＯ−１２３４ｚｅ、好ましくは２５％〜４０％のＨＦＣ−３２と、５％〜２０％のＨＦＣ−１２５と、４０％〜７０％のＨＦＯ−１２３４ｚｅ、
（２）組成物２：１５％〜３５％のＨＦＣ−３２と、５％〜２０％のＨＦＣ−１２５と、４５％〜８０％のＨＦＯ−１２３４ｙｆ、好ましくは１８％〜２５％のＨＦＣ−３２と、８％〜２０％のＨＦＣ−１２５と、５５％〜７４％のＨＦＯ−１２３４ｙｆ。
【００５７】
上記の「低温での冷蔵」プロセスでは、蒸発器での熱伝達流体の吸込み温度は−４５℃から−１５℃、好ましくは−４０℃〜−２０℃、特に好ましくは−３５℃〜−２５℃、例えば約−３０℃であるのが好ましく、凝縮器での熱伝達流体の凝縮開始時の温度は２５℃から８０℃、好ましくは３０℃〜６０℃、特に好ましくは３５℃〜５５℃、例えば約４０℃であるのが好ましい。
【００５８】
上記の「中温度での冷蔵」プロセスでは、蒸発器での熱伝達流体の吸込み温度は−２０℃から１０℃、好ましくは−１５℃〜５℃、特に好ましくは−１０℃〜０℃、例えば約−５℃であるのが好ましく、凝縮器での熱伝達流体の凝縮初期の温度は２５℃から８０℃、好ましくは３０℃〜６０℃、特に好ましくは３５℃〜５５℃、例えば約５０℃であるのが好ましい。
これらのプロセスは冷蔵プロセスでも、空調プロセスでもよい。
【００５９】
上記の「中温度での加熱」プロセスでは、蒸発器での熱伝達流体の吸込み温度は−２０℃から１０℃、好ましくは−１５℃〜５℃、特に好ましくは−１０℃〜０℃、例えば約−５℃であるのが好ましく、凝縮器での熱伝達流体の凝縮開始温度は２５℃から８０℃、好ましくは３０℃〜６０℃、特に好ましくは３５℃〜５５℃、例えば約５０℃であるのが好ましい。
【００６０】
上記熱伝達流体は擬似共沸（quasi-azeotropic）混合物ではなく、向流熱交換器と正しく組み合わされた時（第２の流体との温度差が熱交換器中でほぼ一定である場合）に極めて効果的になる。
【００６１】
上記の各熱伝達流体は実際に蒸気圧縮回路中を循環する伝熱組成物にするために１種または複数の添加剤を混合することができる。添加剤は特に潤滑剤、安定剤、界面活性剤、トレーサ、蛍光剤、芳香剤、可溶化剤およびこれらの混合物の中から選択できる。
【００６２】
添加剤が存在する場合、安定剤は熱伝達組成物の重量の最大で５％にするのが好ましくい。安定剤の中では特にニトロメタン、アスコルビン酸、テレフタル酸、トルトリアゾールまたはベンゾトリアゾールのようなアゾール、トコフェロールのようなフェノール化合物、ハイドロキノン、ｔ−ブチルハイドロキノン、２，６−ジ−tert−ブチル−４−メチルフェノール、エポキシド（フッ素化またはパーフッ素化されていてもよいアルキル、または、アルケニルまたは芳香族）、例えばｎ−ブチルグリシジルエーテル、ヘキサンジオール・ジグリシジルエーテル、アリル・ジグリシジルエーテル、ブチルフェニル・グリシジルエーテル、亜リン酸エステル、ホスホン酸エステル、チオールおよびラクトンを挙げることができる。
【００６３】
潤滑剤としては特に、鉱油起源のオイル、シリコーン油、パラフィン、ナフテン、合成パラフィン、アルキルベンゼン、ポリ−α−オレフィン、ポリアルキレングリコール、ポリオールエステルおよび／またはポリビニールエーテルを挙げることができる。
【００６４】
（検出可能な）トレーサとしては特に、ハイドロフルオロカーボン、重水素化ハイドロフルオロカーボン、重水素化炭化水素、パーフルオロカーボン、フルオロエーテル、臭素化化合物、臭素化物、アルコール、アルデヒド、ケトン、亜酸化窒素およびこれらの組合せを挙げることができる。トレーサは熱伝達流体を形成する熱伝達化合物とは異なる化合物である。
【００６５】
可溶化剤としては特に、炭化水素、ジメチルエーテル、ポリオキシアルキレン・エーテル、アミド、ケトン、ニトリル、クロロカーボン、エステル、ラクトン、アリールエーテル、フルオロエーテル、そして、１，１，１−トリフルオロアルカンを挙げることができる。可溶化剤は熱伝達流体を形成する熱伝達化合物とは異なる化合物である。
【００６６】
蛍光剤としては特に、ナフタルイミド、ペリレン、クマリン、アントラセン、フェナンスラセン、キサンテン、チオキサンテン、ナフトキサンテン、フルオレセインおよびこれらの誘導体および組合せを挙げることができる。
【００６７】
芳香剤としては特に、アクリル酸アルキル、アリルアクリレート、アクリル酸、アクリルエステル、アルキルエーテル、アルキルエステル、アルキン、アルデヒド、チオール、チオエーテル、ジスルフィド、イソチオシアン酸アリル、アルカノン酸、アミン、ノルボルネン、ノルボルネン誘導体、シクロヘキセン、芳香族複素環式化合物、アスカリドール、ｏ−メトオキシ（メチル）フェノールおよびこれらの組合せを挙げることができる。
本発明組成物はさらに、膨張剤、エーロゾルまたは溶剤としても使用できる。
【実施例】
【００６８】
以下、本発明の実施例を示すが、本発明が下記実施例に限定されるものではない。
実施例１
予想される各種形態での熱伝達流体特性の計算方法
混合物の密度、エンタルピー、エントロピーおよび液体／蒸気平衡データの計算はＲＫ−ソーブ（Soave）式を使用した。この式を使用するためには混合物中で使用される純物質の特性に関する知識と、各二元混合物に対する相互作用係数とを知る必要がある。
各純物質に関する必要なデータは沸点、臨界温、臨界圧、沸点から臨界点までの温度を関数とする圧力曲線および温度を関数とする飽和液体と飽和蒸気の密度である。
ＨＦＣに関するデータは非特許文献１に公表されており、また、Refprop（冷媒流体の特性計算のためにＮＩＳが開発したソフトウェア）として入手可能である。
【非特許文献１】ASHRAE Handbook 2005, chapter 20
【００６９】
ＨＦＯの温度−圧力曲線データは静的方法で測定した。臨界温と臨界圧はSetaram社から市販のＣ８０カロリメータを使用して測定した。温度を関数とする飽和密度はLaboratories of the ecole de Mines de Paris （French Engineering School）が開発した振動チューブデンシメータ法で測定した。
【００７０】
上記ＲＫ−Soave式は混合物中での生成物の行動を表すために二元作用の係数を使用する。それらの係数は実験で得た液体／蒸気平衡データに従って計算される。この液体／蒸気平衡の測定で使用する方法は静的分析法である。平衡セルはサファイヤチューブから成り、２つのRolsitm電磁サンプラを備えており、それをクライオサーモスタット（cryothermostat）浴（Huber HS40）中に浸す。種々の回転速度の磁界で駆動される磁気撹拌を用いて平衡に達するまで加速する。サンプルの解析はカサロメータ（ＴＣＤ）を使用したガスクロマトグラフィ（ＨＰ５８９０系列ＩＩ）で実行する。
【００７１】
二成分混合物ＨＦＣ−３２／ＨＦ０−１２３４ｚｅでの液体／蒸気平衡測定は次の等温式で実行した：１５℃。
二成分混合物ＨＦＣ−３２／ＨＦ０−１２３４ｙｆでの液体／蒸気平衡測定は次の等温式で実行した：７０℃、３０℃、−１０℃。
二成分のＨＦＣ−１５２ａ／ＨＦＯ−３２の液体／蒸気平衡データはＲｅｆｐｒｏｐから入手できる。この二成分混合物の相互作用係数の計算には３つの等温式（−３０℃、０℃および３０℃）を使用した。
【００７２】
二成分混合物ＨＦＣ−３２／ＨＦＯ−１２４３ｚｆでの液体／蒸気平衡測定は次の等温式で実行した：−１５℃および０℃。
二成分混合物ＨＦＣ−１２５／ＨＦＯ−１２３４ｚｅの気‐液平衡測定は次の等温式で実行した：２５℃、０℃。
向流蒸発器および凝縮器を備え、スクリュー圧縮機と膨張弁とを有する圧縮システムを考えた。このシステムは１５℃の過熱（オーバーヒート）および５℃の過冷却（アンダークーリング）で運転した。二次流体と冷媒流体との間の最小温度差は約５℃とみなされる。
【００７３】
コンプレッサの有効効率は圧縮比に依存する。この交換効率は次の式に従って計算した：
0005936605.tif 000002
【００７４】
スクリュー圧縮機の場合、この式（１）の有効効率の定数、ｂ、ｃ、ｄ、ｅは非特許文献２に記載の標準データに従って計算した。
【非特許文献２】“Handbook of air conditioning and refrigeration”, page 11.52
【００７５】
性能係数（ＣＯＰ）はシステムによって提供または消費されるパワーに対するシステムに供給した有効パワーと定義される。
性能のローレンツ係数（ＣＯＰLorenz）は性能の参照係数で、それは温度に依存し、各流体のＣＯＰを比較するのに使われる。
性能のローレンツ係数（ＣＯＰLorenz）は下記のように定義される（温度ＴはＫで表される）：
0005936605.tif 000003
【００７６】
空調および冷蔵の場合のローレンツＣＯＰは以下の通り：
0005936605.tif 000004
【００７７】
加熱の場合のローレンツＣＯＰは以下の通り：
0005936605.tif 000005
【００７８】
各組成物に対してローレンツ・サイクルの成績係数を対応温度の関数として計算する。
低温冷蔵モードでは、−３０℃の蒸発器の冷媒流体の吸込み温度と、４０℃の凝縮器の冷媒流体の凝縮開始温度との間で圧縮システムを運転する。このシステムは−２５℃で冷蔵熱を与える。
中温度加熱モードでは、−５℃の蒸発器の冷媒流体の吸込み温度と、５０℃の凝縮器の冷媒流体の凝縮開始温度との間で圧縮システムを運転する。このシステムは４５℃で熱を供給する。
中温度冷却モードでは、−５℃の蒸発器の冷媒流体の吸込み温度と、５０℃の凝縮器の冷媒流体の凝縮開始温度との間で圧縮システムを運転する。このシステムは０℃で冷蔵熱を与える。
【００７９】
下記の［表］で、
「蒸発器出口温度（Temp. evap outlet）」は蒸発器出口での流体温度を示し、
「コンプレッサ出口温度（Temp. comp outlet）」はコンプレッサ出口での流体温度を示し、
「凝縮器出口温度（T cond outlet）」は凝縮器出口で流体温度を示し、
「蒸発器圧力（evap P）」は蒸発器での流体圧力を示し、
「凝縮器圧力（cond P）」は凝縮器での流体圧力を示し、
「レシオ（ｗ／ｗ）」は圧縮比を示し、
「グライド（Glide）」は温度クライト゛を示し、
「圧縮器効率（comp yield）」はコンプレッサ収率を示し、
「％ＣＡＰ」は最初の行に記載の基準流体に対する流体の容積キャパシティーを示し、
「％ＣＯＰ／ＣＯＰLorenz」は対応するローレンツ・サイクルのＣＯＰに対するそのシステムのＣＯＰの比を示す。
【００８０】
実施例２
低温冷蔵の結果、Ｒ４０４ａとの比較
0005936605.tif 000006
【００８１】
上記の表および以下の表で「灰色」にしたラインは特許文献５（米国特許公開第ＵＳ２００９／０２５０６５号明細書）および特許文献６（国際特許第ＷＯ２０１０／００２０１４号公報）に開示の組成物に対応し、その下のラインは本発明の組成物に対応する。
【特許文献５】米国特許公開第ＵＳ２００９／０２５０６５号明細書
【特許文献６】国際特許第ＷＯ２０１０／００２０１４号公報
【００８２】
0005936605.tif 000007
実施例３
中温度での冷却での結果、ＨＦＣ−１３４ａとの比較
0005936605.tif 000008
実施例４
中温度での加熱での結果、ＨＦＣ−１３４ａとの比較
0005936605.tif 000009
実施例５
中温度での冷却での結果、Ｒ４０４ａおよびＲ４０７ｃとの比較
0005936605.tif 000010
実施例６
中温度冷却での結果、Ｒ４０４ａとの比較
0005936605.tif 000011
実施例７
中温度加熱での結果、Ｒ４０４ａとの比較
0005936605.tif 000012